(57)【要約】【課題】超解像近接場構造を用いた光ディスクの検査装置において、対物レンズのフォーカス位置の調整を、光ディスク検査装置の構成を複雑なものとすることなく安価にしながら、簡単かつ短時間に行えることを可能にする。【解決手段】光ディスク検査装置は、光ディスクＤＫからの反射光に含まれるノイズ成分が所定量以上になったことを検出するノイズ抽出回路４５、包絡線回路４６および包絡線レベル検出回路４７と、対物レンズ２５を光軸方向における変位可能範囲内において連続的に変位させるフォーカス引込み信号発生回路４４とを備える。そして、フォーカスサーボ制御を禁止した状態で、対物レンズ２５を同信号に基づいて光軸方向に連続的に変位させるとともに、光ディスクＤＫからの反射光に含まれるノイズ成分が所定量以上となったときの対物レンズ２５の位置をフォーカス位置とする。【選択図】  図１
2005293763.tif 000002
【特許請求の範囲】
【請求項１】
レーザ光源、対物レンズおよび受光素子を有し、超解像近接場構造を用いた光ディスクの記録面にレーザ光源から出射されたレーザ光を対物レンズを介して照射し、前記光ディスクの記録面からの反射光を受光素子にて受光して電気信号に変換する光ディスク装置のためのフォーカス位置調整装置において、
前記変換された電気信号に含まれるノイズ成分を用いて対物レンズのフォーカス位置を調整するフォーカス位置調整手段を設けた光ディスク装置のためのフォーカス位置調整装置。
【請求項２】
請求項１に記載した光ディスク装置のためのフォーカス位置調整装置において、
前記フォーカス位置調整手段を、
対物レンズの光ディスクに対する相対位置を連続的に変化させる連続変化手段と、
前記変換された電気信号に含まれるノイズ成分の発生を検出して、同検出時の前記対物レンズの光ディスクに対する相対位置を対物レンズのフォーカス位置として決定するフォーカス位置決定手段とで構成した光ディスク装置のためのフォーカス位置調整装置。
【請求項３】
前記フォーカス位置決定手段は、前記ノイズ成分の発生を前記変換された電気信号に含まれるノイズ成分が所定量以上になったことにより検出する請求項２に記載した光ディスク装置のためのフォーカス位置調整装置。
【請求項４】
レーザ光源、対物レンズおよび受光素子を有し、超解像近接場構造を用いた光ディスクの記録面にレーザ光源から出射されたレーザ光を対物レンズを介して照射し、前記光ディスクの記録面からの反射光を受光素子にて受光して電気信号に変換する光ディスク装置のためのフォーカス位置調整装置であって、
前記変換された電気信号を表示する表示手段と、
対物レンズの光ディスクに対する相対位置を調整する位置調整手段とを備えた光ディスク装置のためのフォーカス位置調整装置。
【請求項５】
前記位置調整手段は、対物レンズを光軸方向に変位させるためのマニュアル操作子を含む請求項４に記載した光ディスクのためのフォーカス位置調整装置。
【請求項６】
レーザ光源、対物レンズおよび受光素子を有し、超解像近接場構造を用いた光ディスクの記録面にレーザ光源から出射されたレーザ光を対物レンズを介して照射し、前記光ディスクの記録面からの反射光を受光素子にて受光して電気信号に変換する光ディスク装置に適用され、
前記変換された電気信号に含まれるノイズ成分を用いて対物レンズのフォーカス位置を調整する光ディスク装置のためのフォーカス位置調整方法。
【請求項７】
レーザ光源、対物レンズおよび受光素子を有し、超解像近接場構造を用いた光ディスクの記録面にレーザ光源から出射されたレーザ光を対物レンズを介して照射し、前記光ディスクの記録面からの反射光を受光素子にて受光して電気信号に変換する光ディスク装置に適用され、
対物レンズの光ディスクに対する相対位置を連続かつ自動的に変化させ、かつ
前記変換された電気信号に含まれるノイズ成分の発生を検出して、同検出時の前記対物レンズの光ディスクに対する相対位置を対物レンズのフォーカス位置とするようにした光ディスク装置のためのフォーカス位置調整方法。
【請求項８】
前記ノイズ成分の発生を、前記変換された電気信号に含まれるノイズ成分が所定量以上になったことにより検出する請求項７に記載した光ディスク装置のためのフォーカス位置調整方法。
【請求項９】
レーザ光源、対物レンズおよび受光素子を有し、超解像近接場構造を用いた光ディスクの記録面にレーザ光源から出射されたレーザ光を対物レンズを介して照射し、前記光ディスクの記録面からの反射光を受光素子にて受光して電気信号に変換する光ディスク装置に適用され、
前記変換された電気信号を表示し、
前記表示された電気信号にノイズ成分が含まれているかを見て対物レンズのフォーカス位置を調整する光ディスク装置のためのフォーカス位置調整方法。
【請求項１０】
前記対物レンズのフォーカス位置の調整をマニュアル操作によって行う請求項９に記載した光ディスク装置のためのフォーカス位置調整方法。
【発明の詳細な説明】
【技術分野】
【０００１】
本発明は、超解像近接場構造（Super-Resolution Near-field Structure）を用いた光ディスクにレーザ光を照射し、その反射光を利用してレーザ光のフォーカス位置を調整するフォーカス位置調整装置およびフォーカス位置調整方法に関する。
【背景技術】
【０００２】
一般に、ＣＤ，ＤＶＤなどの光ディスクにレーザ光を照射して信号を記録した後に同記録された信号を再生し、または光ディスクに予め記録されている信号を再生するとともに、再生した信号のジッタ、波形特性などを測定することにより、光ディスクを検査する光ディスク検査装置はよく知られている。このような光ディスク検査装置においては、フォーカスサーボ制御を早期に安定して行わせる目的で、レーザ光を光ディスクの記録面に集光させるように、光学系内の対物レンズをフォーカス位置付近に予め位置調整していた。
【０００３】
従来、前記対物レンズの位置調整は、レーザ光源から光ディスクに向けてレーザ光を出射させるとともに、対物レンズのフォーカスサーボ制御を禁止した状態で対物レンズを光軸方向に往復動させて、光ディスクからの反射光からフォーカスエラー信号を生成し、同フォーカスエラー信号の瞬時値が基準レベルからの所定の閾値内に入ったタイミングを検出することにより対物レンズの位置をフォーカス位置付近に調整することが行われている。また、さらにフォーカスサーボ制御の精度を向上させるため、前記光学系の往復動を行う前に、光ディスクに対物レンズを介してレーザ光を照射するとともに同光ディスクからの反射光の点像のひずみを表示装置に表示させ、または同ひずみを数値化したものを表示装置に表示させて、同表示に基づき作業者のマニュアル操作により前記対物レンズの位置をフォーカス位置付近に予め調整することも行われている。
【０００４】
しかしながら、このような対物レンズの位置調整においては、レーザ光源から照射されるレーザ光を正確に光ディスクに導くとともに同光ディスクからの反射光を正確に受光素子に導く必要があるため、光学系内における各光学部品の相対的な位置および角度を予め調整しておく必要がある。この調整作業は、高い精度が要求され多くの時間を要する難しい作業である。また、光ディスクからの反射光の点像の歪みを目視にて確認しながら光学系の位置調整を行う作業も難しい作業であるとともに、同歪みを数値化する方法においては、歪みを数値化する専用の回路が必要となり、光ディスク検査装置を複雑かつ高価のものとしているという問題があった。
【発明の開示】
【０００５】
本発明は、超解像近接場構造を用いた光ディスクのフォーカス位置調整に適用されるものである。そして、本発明は、上記従来の問題を解消し、光ディスク検査装置の構成を複雑なものとすることなく安価に構成することができるフォーカス位置調整装置およびフォーカス位置調整方法を提供することにある。
【０００６】
前記目的を達成するため、本発明の特徴は、レーザ光源、対物レンズおよび受光素子を有し、超解像近接場構造を用いた光ディスクの記録面にレーザ光源から出射されたレーザ光を対物レンズを介して照射し、前記光ディスクの記録面からの反射光を受光素子にて受光して電気信号に変換する光ディスク装置のためのフォーカス位置調整装置において、前記変換された電気信号に含まれるノイズ成分を用いて対物レンズのフォーカス位置を調整するフォーカス位置調整手段を設けたことにある。
【０００７】
この場合、前記フォーカス位置調整手段を、例えば、対物レンズの光ディスクに対する相対位置を連続的に変化させる連続変化手段と、前記変換された電気信号に含まれるノイズ成分の発生を検出して、同検出時の対物レンズの光ディスクに対する相対位置を対物レンズのフォーカス位置として決定するフォーカス位置決定手段とで構成するとよい。そして、前記フォーカス位置決定手段は、前記ノイズ成分の発生を前記変換された電気信号に含まれるノイズ成分が所定量以上になったことにより検出するようにするとよい。
【０００８】
このように構成した本発明の特徴によれば、光ディスクからの反射光に含まれるノイズ成分の発生を検出して対物レンズのフォーカス位置を調整しているため、レーザ光源、対物レンズおよび受光素子の相対的な位置および角度を厳密に調整する必要がない。これにより、レーザ光源、対物レンズおよび受光素子の相対的な位置および角度の調整を簡単かつ短時間に行っただけで、対物レンズを早期にフォーカス位置に調整することができる。
【０００９】
また、本発明の他の特徴は、レーザ光源、対物レンズおよび受光素子を有し、超解像近接場構造を用いた光ディスクの記録面にレーザ光源から出射されたレーザ光を対物レンズを介して照射し、前記光ディスクの記録面からの反射光を受光素子にて受光して電気信号に変換する光ディスク装置のためのフォーカス位置調整装置であって、前記変換された電気信号を表示する表示手段と、対物レンズの光ディスクに対する相対位置を調整する位置調整手段とを備えたことにある。
【００１０】
この場合、前記位置調整手段を、例えば、対物レンズを光軸方向に変位させるためのマニュアル操作子を含むものとするとよい。
【００１１】
このように構成した本発明の他の特徴によれば、光ディスクＤＫからの受光信号を電気信号に変換して表示装置に表示させるとともに、同表示に基づいてマニュアル操作子により対物レンズの光軸方向の位置を任意に変位させることができるため、簡単に対物レンズをフォーカス位置に調整することができる。
【００１２】
また、本発明は装置の発明として実施できるばかりでなく、方法の発明としても実施できるものである。
【発明を実施するための最良の形態】
【００１３】
本発明に係るフォーカス位置調整装置およびフォーカス位調整方法の実施形態について説明する前に、本発明に用いられる超解像近接場構造を用いた光ディスクについて説明しておく。
【００１４】
一般に、ＣＤ，ＤＶＤなどの光ディスクにおける記録密度は、光ディスクの記録面に形成される光スポットの径の大きさにより決定される。この光スポットの径の大きさは、波長／開口数により求められることから、光ディスクに照射されるレーザ光の波長を短くするとともにレーザ光を集光するレンズの開口数を大きくすることによって、光ディスクの記憶密度を高めることができる。しかし、通常のレーザ光では、レンズの回析限界によって光スポットの径の大きさを波長以下にすることができないため、光ディスクの記録密度の高密度化には自ずと限界があった。
【００１５】
この光ディスクの記録密度をさらに高密度化する技術として近接場光と呼ばれる特殊な光（局在光）を利用した超高密度光記録技術がある。近接場光は、通常のレーザ光とは異なり伝播することなく物体表面の極近傍（１００ｎｍ以下）にのみ存在することができる極めて波長の短い光の一種である。したがって、この近接場光を利用することによりレーザ光の波長以下の極小の光スポット、すなわちナノメートル径の光スポットを形成することができ、光ディスクの記録密度を飛躍的に向上させることができる。この近接場光は、物体に光を照射した際、その物体表面の極近傍にのみ生じる光であることから、レーザ光が照射される光ディスクにも特別な構造を有する必要があり、この特別な構造を用いた光ディスクが超解像近接場構造（Super-Resolution Near-field Structure（Super-RENS））を用いた光ディスクと呼ばれている。
【００１６】
この超解像近接場構造を用いた光ディスク（以下、「スーパーレンズ光ディスク」という）の構造の一例を図２に示す。このスーパーレンズ光ディスクは、ポリカーボネート樹脂からなる光透過性のディスク基板１上に、第１保護層２、ピット形成層３、第２保護層４、再生層５、第３保護層６の順に積層した多層構造で構成されている。これらのうち、第１保護層２、第２保護層４および第３保護層６は、例えば、ZnS-SiO2材からなり、レーザ光が照射されることによりピット形成層３および再生層５に生じる熱変形および酸化を防止するための光透過性を有する膜である。なお、第１保護層２、第２保護層４および第３保護層６は、ZnS-SiO2材に限定されるものではない。
【００１７】
ピット形成層３は、PtOxまたはAgOx材などからなり、レーザ光が照射されることによりナノメートル径の光ピットを形成する膜である。このピット形成層３は、通常では強く光を散乱させる機能を有しないが、レーザ光またはそれに付随した発熱によってナノメートル径のピットを形成できる。具体的には、ピット形成層３を構成するPtOx（またはAgOx）に、ある強度レベル以上のレーザ光が照射されると、そのレーザ光が照射された部分のPtOx（またはAgOx）は熱により分解し、ナノメートル径の爆発ガス（Ox）球が生じるとともに、その内部に多数のPt粒子（またはAg粒子）が散乱した状態で生じ、光散乱体ピット７が形成される。そして、この光散乱体ピット７のPt粒子にレーザ光が照射されることによりPt粒子の表面に近接場光が発生することによって、光散乱体ピット７自体が記録ピットとして作用する。
【００１８】
再生層５は、AgInSbTeまたはGe2Sb2Te5材からなり、カルコゲン化合物と呼ばれる合金が、レーザ光の照射により誘起された熱によって結晶間の可逆的な相変化を生じ、この相変化がもたらす光学特性の変化を利用してデータを再生する膜である。
【００１９】
このように構成されたスーパーレンズ光ディスクにデータを記録するには、通常の光学系を介してデータ記録用のレーザ光、すなわち強度レベルの大きなレーザ光をスーパーレンズ光ディスクに照射する。スーパーレンズ光ディスクに照射されたレーザ光は、ディスク基板１、第１保護層２、ピット形成層３および第２保護層４を介して再生層５に到達し、通常の大きさの光スポットを形成する。このとき、再生層５に形成される光スポットの中心部（光スポット径の１／１０）の温度は、PtOx（またはAgOx）を熱分解する温度以上に達し、第２保護層４を介してピット形成層３に熱伝導が生じ、光散乱体ピット７に近接場光が発生する。
【００２０】
また、このように構成されたスーパーレンズ光ディスクからデータを再生するには、通常の光学系を介してデータ再生用のレーザ光、すなわち強度レベルの小さなレーザ光をスーパーレンズ光ディスクに照射する。スーパーレンズ光ディスクに照射されたレーザ光は、ディスク基板１、第１保護層２、ピット形成層３および第２保護層４を介して再生層５に到達し通常の大きさの光スポットを形成する。この場合、既に形成されている光散乱体ピット７上に光スポットが形成された場合には、光散乱体ピット７と再生層５の間で相互に近接場光が発生することによりピット形成層３に記録された光散乱体ピット７を読み出すことができる。また、光散乱体ピット７以外の部分に光スポットが形成された場合には、再生層５のみに近接場光が発生するだけで、光散乱体ピット７には近接場光の散乱しか発生せず、反射光に変化をもたらさない。
【００２１】
本発明の発明者らは、このスーパーレンズ光ディスクに関する研究を行う過程において、スーパーレンズ光ディスクに照射されたレーザ光の焦点が、スーパーレンズ光ディスクの記録層に合焦するフォーカス位置付近において、スーパーレンズ光ディスクから読み出される信号（以下、「読出し信号」という）にノイズ成分が発生することを発見した。通常、スーパーレンズ光ディスクに照射されるレーザ光の焦点がフォーカス位置にない場合には、スーパーレンズ光ディスクからの読出し信号にノイズ成分が発生することはない（図３（Ａ）参照）。しかし、スーパーレンズ光ディスクに照射されるレーザ光が合焦するフォーカス位置付近になると、スーパーレンズ光ディスクからの読出し信号にノイズ成分が発生するようになる（図３（Ｂ）参照）。このノイズ成分が発生する原因は、詳しくは調査中であるが、スーパーレンズ光ディスクに照射されるレーザ光の焦点が合焦することによって生じる熱により、スーパーレンズ光ディスクの記録面に何らかの光学的な変化が生じているものと考えられる。
【００２２】
また、読出し信号の強度レベルを変えながら、この読出し信号中にノイズ成分が発生した対物レンズの光軸方向における位置の測定を行った結果を図４に示す。図において、縦軸は読出し信号の強度レベルを示し、横軸は光軸方向における対物レンズの位置を示しており、レーザ光が合焦した場合の対物レンズの位置（図示「０」の位置）（以下、「ジャストフォーカス位置」という）を基準として、マイナス側（図示左側）は、対物レンズがスーパーレンズ光ディスクに近づく方向を示し、プラス側（図示右側）は、対物レンズがスーパーレンズ光ディスクから離れる方向を示している。
【００２３】
また、打点は読出し信号中にノイズ成分が発生し始める位置を示している。これらのうち、黒丸（●）は、図５（Ａ）に示すように、対物レンズをプラス側からジャストフォーカス位置に向けて連続的に変位させた場合に、読出し信号中にノイズ成分が発生し始める位置を示している。また、白丸（○）は、図５（Ｂ）に示すように、対物レンズをジャストフォーカス位置からマイナス側に向けて連続的に変位させた場合に、読出し信号中にノイズ成分が発生し始める位置を示している。また、黒ひし形（◆）は、図５（Ｃ）に示すように、対物レンズをマイナス側からジャストフォーカス位置に向けて連続的に変位させた場合に、読出し信号中にノイズ成分が発生し始める位置を示している。また、白ひし形（◇）は、図５（Ｄ）に示すように、対物レンズをジャストフォーカス位置からプラス側に向けて連続的に変位させた場合に、読出し信号中にノイズ成分が発生し始める位置を示している。
【００２４】
図４に示す測定結果によれば、スーパーレンズ光ディスクからの読出し信号の強度レベルがある範囲内（本測定では、３．５ｍＷから５ｍＷ）において、ジャストフォーカス位置を挟む所定の範囲内（測定結果では、−５００ｎｍ〜９００ｎｍ）に対物レンズが位置すると、読出し信号中にノイズ成分が発生し始めるとともに、その後同ノイズ成分は発生し続けることが確認された。また、同ノイズ成分が発生する対物レンズの位置は、読出し信号の強度レベルが小さいほどジャストフォーカス位置との差は小さく、読出し信号の強度レベルが３．５ｍＷ付近の場合では、略ジャストフォーカス位置になることが確認された。ただし、読出し信号の強度レベルが３．５ｍＷ付近未満の場合には、読出し信号中にノイズ成分の発生は確認できなかった。
【００２５】
本発明は、このような読出し信号中にノイズ成分が発生する対物レンズの位置からジャストフォーカス位置を特定することができることに着目してなされたものである。
【００２６】
以下、上記ノイズ成分を利用してフォーカス位置を調整する一実施形態について図面を参照しながら説明する。図１は、スーパーレンズ光ディスクＤＫ（以下、単に「光ディスクＤＫ」という）を検査する光ディスク検査装置の全体を概略的に示す概略ブロック図である。この光ディスク検査装置は、光ディスクＤＫを回転駆動する回転駆動装置１０と、光ディスクＤＫにレーザ光を照射するとともに、同照射による光ディスクＤＫからの反射光を受光する光ピックアップ装置２０を備えている。
【００２７】
駆動装置１０は、光ディスクＤＫを回転駆動するためのスピンドルモータ１１を備えている。スピンドルモータ１１の回転軸１２にはターンテーブル１３が固定されており、光ディスクＤＫがターンテーブル１２上に載置されるようになっている。スピンドルモータ１１には、回転軸１２の回転を検出して同回転を表す回転検出信号を出力するエンコーダ１１ａが内蔵されている。具体的には、エンコーダ１１ａは、回転検出信号として回転軸１２が基準回転位置を通過するごとに基準信号φｚを出力するとともに、回転軸１２の所定の微小な回転角度ずつハイレベルとローレベルとを繰り返すパルス列信号φＡ，φＢを出力する。この場合、これらのパルス列信号φＡ，φＢの位相は互いにπ／２だけずれている。この回転検出信号φｚ，φＡ，φＢは、モータ制御回路１４に供給されており、モータ制御回路１４は、回転検出信号φｚ，φＡ，φＢを用いて、後述するコンピュータ装置５０から指示された回転速度になるようスピンドルモータ１１を一定速度で回転させる。
【００２８】
光ピックアップ装置２０は、レーザ光源２１、コリメートレンズ２２、ビームスプリッタ２３、１／４波長板２４、対物レンズ２５、凸レンズ２６、シリンドリカルレンズ２７および４分割フォトディテクタ２８などから構成されている。この光ピックアップ装置２０においては、レーザ光源２１から出射されたレーザ光を、コリメートレンズ２２、ビームスプリッタ２３、１／４波長板２４および対物レンズ２５を介して光ディスクＤＫの記録層に集光させ、光ディスクＤＫの記録層上に光スポットを形成する。そして、この光ディスクＤＫの記録層に形成された光スポットからの反射光は、対物レンズ２５、１／４波長板２４、ビームスプリッタ２３、凸レンズ２６およびシリンドリカルレンズ２７を介して４分割フォトディテクタ２８に導かれて受光される。４分割フォトディテクタ２８は、分割線で区切られた４つの同一正方形上の受光素子からなり、各受光素子は受光量に比例した電気信号に変換するとともに、受光信号Ａ，Ｂ，Ｃ，ＤとしてＨＦ信号増幅回路３１にそれぞれ出力する。
【００２９】
また、この光ピックアップ装置２０には、フォーカスアクチュエータ２９も内蔵している。フォーカスアクチュエータ２９は、対物レンズ２５を光ディスクＤＫの盤面に対して垂直方向（光軸方向）に微動させて光スポットを光ディスクＤＫの記録層に正確に形成させる。なお、この光ピックアップ装置２０のレーザ光源２１には、レーザ光源２１の作動を制御するため、後述するコンピュータ装置５０が接続されている。
【００３０】
ＨＦ信号増幅回路３１は、４分割フォトディテクタ２８から出力されたそれぞれの受光信号Ａ，Ｂ，Ｃ，Ｄを増幅して、再生信号生成回路３２、フォーカスエラー信号生成回路４１およびノイズ抽出回路４５にそれぞれ出力する。再生信号生成回路３２は、ＨＦ信号増幅回路３１からの信号に基づいて再生信号（４分割フォトディテクタ２８からの受光信号Ａ〜Ｄの合算信号Ａ＋Ｂ＋Ｃ＋ＤからなるＳＵＭ信号）を生成し、ノイズ除去フィルタ３３に出力する。ノイズ除去フィルタ３３は、再生信号生成回路３２から出力された再生信号に含まれるノイズ成分を除去した後、波形等価回路３４に出力する。波形等価回路３４は、ノイズ除去フィルタ３３から出力された再生信号の振幅を周波数に応じて補正した後、２値化回路３５に出力する。２値化回路３５は、波形等価回路３４から出力された再生信号を２値化、すなわちデジタル化して後述するコンピュータ装置５０に出力する。
【００３１】
フォーカスエラー信号生成回路４１は、ＨＦ信号増幅回路３１から出力された受光信号Ａ〜Ｄを用いた演算（具体的には、非点収差法による（Ａ＋Ｃ）−(Ｂ＋Ｄ）の演算）によりフォーカスエラー信号を生成して、フォーカスサーボ回路４２に出力する。フォーカスサーボ回路４２は、フォーカスエラー信号に基づいてフォーカスサーボ信号を生成してドライブ回路４３に出力する。
【００３２】
ドライブ回路４３は、フォーカスサーボ回路４２から出力されるフォーカスサーボ信号、または後述するフォーカス引込み信号発生回路４４から出力されるフォーカス引込み信号に応じて、フォーカスアクチュエータ２９を駆動制御することによって対物レンズ２５を光軸方向に変位させる。したがって、このドライブ回路４３に出力される信号が前記フォーカスサーボ信号である場合には、フォーカスエラー信号生成回路４１およびフォーカスサーボ回路４２との協働により対物レンズ２５のフォーカスサーボ制御が実現される。
【００３３】
フォーカス引込み信号発生回路４４は、後述するコンピュータ装置５０に制御されてフォーカス引込み信号をドライブ回路４３に出力する。フォーカス引込み信号とは、対物レンズ２５の光軸方向における変位可能範囲内において、対物レンズ２５を同変位可能範囲内の一端から他端に連続的に変位させるための信号である。したがって、ドライブ回路４３に出力される信号がフォーカス引込み信号である場合には、対物レンズ２５は、光軸方向における変位可能範囲内の一端から他端に向けて連続的に変位する。
【００３４】
ノイズ抽出回路４５は、ハイパスフィルタにより構成され、ＨＦ信号増幅回路３１から出力された受光信号Ａ〜Ｄを合算した信号からノイズ成分を取り出すとともに包絡線回路４６に出力する。包絡線回路４６は、半波整流器および積分回路により構成され、ノイズ抽出回路４５から出力されるノイズ成分の包絡線を検出してノイズ信号として包絡線レベル検出回路４７に出力する。包絡線レベル検出回路４７は、比較器により構成され、後述するコンピュータ装置５０に制御されて、包絡線回路４６から出力されるノイズ信号の大きさが所定の基準値以上になった場合に、コンピュータ装置５０にノイズ検出信号を出力する。ここで、ノイズ信号の所定の基準値とは、光ディスクＤＫの記録層にレーザ光が合焦した場合に、受光信号Ａ〜Ｄの合算信号中に発生するノイズ成分の大きさである。
【００３５】
コンピュータ装置５０は、ＣＰＵ、ＲＯＭ、ＲＡＭ、ハードディスクなどからなり、キーボード、マウスなどからなる入力装置５１からの指示に従って図示しないプログラムを実行することにより、光ディスクＤＫの検査を行うとともに、その検査結果をＣＲＴ，液晶ディスプレイまたはプリンタなどからなる出力装置５２に出力させる。また、このコンピュータ装置５０には、モータ制御回路１４、レーザ光源２１、フォーカスサーボ回路４２、フォーカス引込み信号発生回路４４および包絡線レベル検出回路４７が、それぞれ接続されている。なお、本実施形態においては、対物レンズ２５のトラックサーボ制御装置については本発明に直接関係しないので、その説明は省略する。
【００３６】
前記のように構成した本実施形態の作動について説明する。まず、作業者は、検査用データが記録されている被検査対象である光ディスクＤＫを支持プレート１３上に載置固定し、図示しない電源スイッチの投入により、コンピュータ装置５０を含む光ディスク検査装置の各種回路の作動を開始させる。
【００３７】
次に、作業者は、入力装置５１を操作して光ディスクＤＫの所定の検査の開始をコンピュータ装置５０に指示する。この指示に応答してコンピュータ装置５０は、図示しないプログラムの実行により、光ディスクＤＫの検査を開始する。まず、コンピュータ装置５０は、対物レンズ２５のフォーカス引込みを行う。対物レンズ２５のフォーカス引込みとは、対物レンズ２５を早期に安定してフォーカスサーボ制御させる目的で、対物レンズ２５のフォーカスサーボ制御が実行される前に、予め対物レンズ２５を光軸方向におけるフォーカス位置付近に位置決めさせるものである。したがって、コンピュータ装置５０は、対物レンズ２５のフォーカスサーボ制御を禁止した状態で対物レンズ２５のフォーカス引込みを実行する。具体的には、コンピュータ装置５０は、モータ制御回路１４、レーザ光源２１、包絡線レベル検出回路４７およびフォーカス引込み信号発生回路４４を作動させるとともに、フォーカスサーボ回路４２の作動を禁止する。
【００３８】
モータ制御回路１４は、コンピュータ装置５０の指示に応答して、エンコーダ１１ａから入力される回転検出信号φｚ，φＡ，φＢを用いてスピンドルモータ１１の回転を制御して光ディスクＤＫを線速度一定または角速度一定で回転させる。また、レーザ光源２１は、前記コンピュータ装置５０の指示に応答して、光ディスクＤＫに向けてレーザ光を照射する。この場合、本実施形態においては、レーザ光源２１から照射されるレーザ光の強度レベルは、３．６ｍＷである。これは、図４に示したように、読出し信号の強度レベルが３．５ｍＷ付近未満の場合には、読出し信号中にノイズ成分が発生しない場合があるとともに、３．５ｍＷより大きくなるに従って読出し信号中にノイズ成分が発生する位置とジャストフォーカス位置との差が大きくなるからである。なお、本実施形態においては、３．６ｍＷを採用したが、ノイズ成分が発生する対物レンズの位置がジャストフォーカス位置から多少のずれをもつことを許容するならば、これ以上の強度レベルを採用してもよい。
【００３９】
レーザ光源２１から照射されたレーザ光は、光ディスクＤＫにて反射され４分割フォトディテクタ２８により受光される。４分割フォトディテクタ２８により受光された反射光は、受光量に相当する受光信号Ａ〜Ｄに変換された後、ＨＦ信号増幅回路３１により増幅され再生信号生成回路３２、フォーカスエラー信号生成回路４１およびノイズ抽出回路４５にそれぞれ出力される。
【００４０】
ノイズ抽出回路４５に出力された受光信号Ａ〜Ｄは、ノイズ抽出回路４５にて合算されるとともにノイズ成分が取り出された後、包絡線回路４６を介して包絡線レベル検出回路４７に出力される。そして、包絡線レベル検出回路４７により、同合算された受光信号Ａ〜Ｄ中に含まれるノイズ信号の大きさが監視される。なお、再生信号生成回路３２に出力された受光信号Ａ〜Ｄは、再生信号生成回路３２にて合算（ＳＵＭ信号に変換）され、ノイズ除去フィルタ３３、波形等価回路３４および２値化回路３５を介してコンピュータ装置５０に出力されるが、コンピュータ装置５０は、対物レンズ２５のフォーカス引込み処理を実行しているため、同出力は無視される。また、フォーカスエラー信号生成回路４１も受光信号Ａ〜Ｄに基づいてフォーカスエラー信号を生成してフォーカスサーボ回路４２に出力するが、フォーカスサーボ回路４２は、コンピュータ装置５０によりその作動が禁止されているため、同出力は無視される。
【００４１】
フォーカス引込み信号生成回路４４は、コンピュータ装置５０の指示に応答して、フォーカス引込み信号をドライブ回路４３に出力する。この場合、フォーカスサーボ回路４２は、コンピュータ装置５０によりその作動が禁止されているため、ドライブ回路４３にはフォーカス引込み信号のみが入力されることになる。したがって、ドライブ回路４３は、このフォーカス引込み信号に応じてフォーカスアクチュエータ２９を駆動制御する。これにより対物レンズ２５は、光軸方向における変位可能範囲内の一端から他端に向けて連続的に変位する。この場合、対物レンズ２５が、光ディスクＤＫの記録面に対して合焦する位置（以下、「フォーカス位置」という）を通過することにより、光ディスクＤＫから読み出される信号中にノイズ成分が発生する。
【００４２】
一方、包絡線レベル検出回路４７は、光ディスクＤＫからのノイズ信号の大きさを監視しており、同ノイズ信号の大きさが所定の基準値以上となった場合、すなわち対物レンズ２５がフォーカス位置を通過した際に発生するノイズ成分を検出した場合に、コンピュータ装置５０に対しノイズ検出信号を出力する。コンピュータ装置５０は、包絡線レベル検出回路４８からノイズ検出信号が出力されると、直ちにフォーカス引込み信号発生回路４５および包絡線レベル検出回路４７の作動を禁止するとともに、フォーカスサーボ回路４２の作動を開始させる。
【００４３】
フォーカス引込み信号発生回路４４は、コンピュータ装置５０からの指示に応答してフォーカス引込み信号の出力を停止する。これにより、ドライブ回路４３は、フォーカス引込み信号による対物レンズ２５の駆動制御を停止する。この場合、対物レンズ２５はフォーカス位置またはフォーカス位置の極近傍に位置した状態である。また、包絡線レベル検出回路４７もコンピュータ装置５０からの指示に応答して作動を停止する。これにより、ノイズ検出信号の出力が停止する。
【００４４】
一方、フォーカスサーボ回路４２は、コンピュータ装置５０の指示に応答して作動を開始する。具体的には、フォーカスサーボ回路４２には、フォーカスエラー信号生成回路４１からフォーカスエラー信号が出力されているため、同フォーカスエラー信号に基づいてフォーカスサーボ信号を生成しドライブ回路４３に出力する。この場合、ドライブ回路４３には、フォーカス引込み信号発生回路４４からのフォーカス引込み信号の出力が停止されると同時にフォーカスサーボ回路４２からフォーカスサーボ信号が出力されることになる。したがって、ドライブ回路４３は、このフォーカスサーボ信号に応じて引き続き対物レンズ２５を駆動制御する。これにより、対物レンズ２５のフォーカス位置制御がフォーカスサーボ制御に引き継がれ、対物レンズ２５のフォーカス引込みが終了するとともに、フォーカスサーボ制御が開始される。
【００４５】
対物レンズ２５のフォーカスサーボ制御が開始されると、再生信号生成回路３２に出力される受光信号Ａ〜Ｄは、再生信号生成回路３２にて合算（ＳＵＭ信号に変換）され、ノイズ除去フィルタ３３、波形等価回路３４および２値化回路３５を介してコンピュータ装置５０に出力されるとともに、コンピュータ装置５０にて、光ディスクＤＫの所定の検査に用いられる。また、フォーカスエラー信号生成回路４１に出力される受光信号Ａ〜Ｄは、フォーカスエラー信号生成回路４１、フォーカスサーボ回路４２、ドライブ回路４３およびフォーカスアクチュエータ２９による対物レンズ２５のフォーカスサーボ制御に用いられる。また、ノイズ抽出回路４５に出力される受光信号Ａ〜Ｄは、ノイズ抽出回路４５にて合算されるとともにノイズ成分が取り出された後、包絡線回路４６を介して包絡線レベル検出回路４７に出力されるが、包絡線レベル検出回路４７はコンピュータ装置５０によりその作動が禁止されているため、同出力は無視される。
【００４６】
上記作動説明からも理解できるように、上記実施形態によれば、光ディスクＤＫからの反射光に含まれるノイズ成分を利用して対物レンズ２５のフォーカス引込みを行っている。この場合、光ディスクＤＫから４分割フォトディテクタ２８を介して出力される受光信号Ａ〜Ｄを合算した信号から、光ディスクＤＫの記録層にレーザ光が合焦した場合に発生するノイズ成分を取り出すことができればよいので、対物レンズ２５および４分割フォトディテクタ２８を含む光ピックアップ装置２０内の各光学系の相対的な位置および角度を厳密に調整する必要がない。このため、光ピックアップ装置２０内の各光学系の相対的な位置および角度の調整を簡単かつ短時間に行っただけで、光ディスクＤＫの検査作業を行うことができる。
【００４７】
以上、本発明の一実施形態について説明したが、本発明の実施にあたっては、上記実施形態に限定されるものではなく、本発明の目的を逸脱しない限りにおいて種々の変形が可能である。
【００４８】
上記実施形態においては、光ディスクＤＫから読み出される信号中に発生するノイズ成分に基づいてフォーカス引込み信号発生回路４４による対物レンズ２５のフォーカス引込みを行った。しかし、このフォーカス引込み信号発生回路４４によるフォーカス引込みに代え、光ディスクＤＫから読み出される信号中に発生するノイズ成分を利用して、作業者のマニュアル操作によって、対物レンズ２５をフォーカスサーボ制御に先立って予めフォーカス位置付近に位置させることもできる。具体的には、図１の破線に示すように、ノイズ抽出回路４５、包絡線回路４６および包絡線レベル検出回路４７に代えてオシロスコープ６１を設けるとともに、フォーカス引込み信号発生回路４４に代えてポテンショメータ６２を設ける。
【００４９】
オシロスコープ６１は、再生信号生成回路３２に接続され、再生信号生成回路３２から出力される受光信号Ａ〜Ｄを合算した合算信号を経時的に表示する。この場合、前記合算信号中にノイズ成分が含まれていない場合には、図３（Ａ）に示すように、合算信号のみがオシロスコープ６１に表示される。また、前記合算信号中にノイズ成分が含まれている場合には、図３（Ｂ）に示すように、合算信号とともに同ノイズ成分がオシロスコープ６１に表示される。
【００５０】
ポテンショメータ６２は、マニュアル操作により、その出力電圧を任意に調整することを可能とするもので、この調整した出力電圧を位置調整信号としてセレクタ６３を介してフォーカスアクチュエータ２９に出力する。これにより、対物レンズ２５は、この位置調整信号に応じて光軸方向に駆動制御される。したがって、このポテンショメータ６２を操作することにより、対物レンズ２５の光軸方向における位置を任意に変化させることができる。セレクタ６３は、ドライブ回路４３から出力されるフォーカスアクチュエータ２９を駆動制御するための駆動信号と、前記ポテンショメータ６２から出力される位置調整信号とを入力するもので、コンピュータ装置５０により制御されて、両信号を選択的にフォーカスアクチュエータ２９に出力する。これら以外の構成は、上記実施形態と同様である。
【００５１】
このように構成された光ディスク検査装置の使用に際しては、作業者は、検査用データが記録されている被検査対象である光ディスクＤＫを支持プレート１３上に載置固定し、図示しない電源スイッチの投入により、コンピュータ装置５０を含む光ディスク検査装置の各種回路の作動を開始させる。
【００５２】
次に、作業者は、入力装置５１を操作して対物レンズ２５の初期位置調整をコンピュータ装置５０に指示する。この対物レンズ２５の初期位置調整とは、対物レンズ２５のフォーカスサーボ制御に先立って、対物レンズ２５を光ディスクＤＫに対するフォーカス位置付近に予め位置決めさせるものである。したがって、コンピュータ装置５０は、対物レンズ２５のフォーカスサーボ制御を禁止した状態で対物レンズ２５の初期位置調整を行う。具体的には、コンピュータ装置５０は、モータ制御回路１４およびレーザ光源２１を作動させるとともに、フォーカスサーボ回路４２の作動を禁止する。
【００５３】
前記コンピュータ装置５０の指示に応答して、モータ制御回路１４およびレーザ光源２１は上記実施形態と同様に作動を開始する。これにより、オシロスコープ６１には、ＨＦ信号増幅回路３１を介して光ディスクＤＫからの受光信号Ａ〜Ｄの合算信号が表示されることになる。次に、コンピュータ装置５０は、ポテンショメータ６２からの位置調整信号をフォーカスアクチュエータ６３に出力するようにセレクタ６３を制御する。これにより、作業者は、ポテンショメータ６２をマニュアル操作することによって、対物レンズ２５をフォーカス位置付近に位置調整することができる。具体的には、前記オシロスコープ６１に表示されるノイズ成分の発生を確認しながらポテンショメータ６２をマニュアル操作することにより対物レンズ２５を光軸方向に変位させる。そして、オシロスコープ６１に表示される前記ノイズ成分の大きさが所定の大きさ以上となったときの対物レンズ２５の位置をフォーカス位置として位置決めさせる。ここで所定の大きさとは、光ディスクＤＫの記録層にレーザ光が合焦した場合に、受光信号Ａ〜Ｄの合算信号中に発生するノイズ成分の大きさである。
【００５４】
次に、作業者は、入力装置５１を操作して光ディスクＤＫの検査の開始をコンピュータ装置５０に指示する。この指示に応答してコンピュータ装置５０は、モータ制御回路１４およびレーザ光源２１の作動に加えてフォーカスサーボ回路４２の作動を指示するとともに、ドライブ回路４３からの駆動信号をフォーカスアクチュエータ２９に出力するようにセレクタ６３を制御する。フォーカスサーボ回路４２は、コンピュータ装置５０の指示に応答して作動を開始する。
【００５５】
具体的には、フォーカスサーボ回路４２には、フォーカスエラー信号生成回路４１からフォーカスエラー信号が出力されているため、同フォーカスエラー信号に基づいてフォーカスサーボ信号を生成しドライブ回路４３に出力する。ドライブ回路４３は、同フォーカスサーボ信号に応じてフォーカスアクチュエータ２９の駆動制御を開始する。この場合、セレクタ６３は、コンピュータ装置５０に制御されてポテンショメータから出力される位置調整信号の出力を停止すると同時に、ドライブ回路４３から出力される駆動信号をフォーカスアクチュエータ２９に出力する。これにより、対物レンズ２５が、フォーカス位置またはフォーカス位置の極近傍に位置した状態から、フォーカスサーボ制御が開始される。
【００５６】
対物レンズ２５のフォーカスサーボ制御が開始されると、再生信号生成回路３２に出力される受光信号Ａ〜Ｄの合算信号（ＳＵＭ信号）は、ノイズ除去フィルタ３３、波形等価回路３４および２値化回路３５を介してコンピュータ装置５０に出力されるとともに、コンピュータ装置５０にて、光ディスクＤＫの所定の検査に用いられる。また、フォーカスエラー信号生成回路４１に出力される受光信号Ａ〜Ｄは、フォーカスエラー信号生成回路４１、フォーカスサーボ回路４２、ドライブ回路４３およびフォーカスアクチュエータ２９による対物レンズ２５のフォーカスサーボ制御に用いられる。
【００５７】
上記作動説明からも理解できるように、前記変形例によれば、光ディスクＤＫからＨＦ信号増幅回路３１を介して出力される受光信号Ａ〜Ｄの合算信号に含まれるノイズ成分をオシロスコープ６１に表示させるとともに、ポテンショメータ６２をマニュアル操作することにより対物レンズ２５のフォーカス位置の調整を行っている。これにより、作業者は、オシロスコープ６１に表示される同ノイズ成分の発生のみを確認しながら対物レンズ２５の位置調整ができるため、極めて簡単に対物レンズ２５をフォーカス位置に調整することができる。また、オシロスコープ６１に同ノイズ成分を表示させるための専用の回路を別途用意する必要がないため、光ディスク検査装置を簡単かつ安価に構成することができる。
【００５８】
なお、ノイズ成分を検出することによる対物レンズ２５のフォーカス位置の検出が、対物レンズ２５の光軸方向における変位可能範囲の中心位置（フォーカスアクチュエータ２９に通電がされないときの対物レンズ２５の位置にほぼ等しい）から大きくずれた位置で行われた場合には、一旦、光ディスク検査装置の作動を停止し、光ピックアップ装置２０の縦方向の位置を調整して対物レンズ２５の光軸方向における変位可能範囲の中心付近で対物レンズ２５のフォーカス位置の検出が行われるようにすることが望ましい。このようにすれば、再生信号の精度を向上させることができるとともに、フォーカス外れが生じる可能性を大幅に低くすることができる。
【００５９】
上記変形例においては、上記実施形態における対物レンズ２５のフォーカス引込みに代えて対物レンズ２５の初期位置調整を行ったが、これに限定されるものではなく、上記実施形態に加えて対物レンズ２５の初期位置調整を行ってもよい。具体的には、上記実施形態における対物レンズ２５のフォーカス引込みに先立って、対物レンズ２５の初期位置調整を行う。この場合、対物レンズ２５の初期位置調整に使用した光ディスクＤＫ上のトラックとは別のトラックを使用して、対物レンズ２５のフォーカス引込みを行うようにする。これは、対物レンズ２５の初期位置調整またはフォーカス引込みによって一旦ノイズ成分が発生したトラックでは、その後ノイズ成分が発生し続けるため、トラックを替えてノイズ成分の発生を改めて検出することができるようにするためである。これにより、対物レンズ２５のフォーカス引込みにおいて、対物レンズ２５を変位させる距離を短縮することができ、対物レンズ２５のフォーカス引込みを短時間に行うことができるとともに、対物レンズ２５のフォーカスサーボ制御をさらに早期に安定して行わせることができる。
【００６０】
また、上記実施形態および上記変形例においては、光ディスクＤＫを検査するための光ディスク検査装置に本発明を適用するようにしたが、本発明は光ディスクＤＫにレーザ光を照射するとともに、同照射による光ディスクＤＫからの反射光を受光する光ピックアップ装置の検査装置にも適用できるものである。
【図面の簡単な説明】
【００６１】
【図１】本発明の一実施形態に係る光ディスク検査装置の全体を概略的に示す概略ブロック図である。
【図２】超解像近接場構造を用いた光ディスクの断面を示す説明図である。
【図３】（Ａ）は、ノイズ成分が含まれない光ディスクからの読出し信号を概略的に示す波形図であり、（Ｂ）は、ノイズ成分が含まれる光ディスクからの読出し信号を概略的に示す波形図である。
【図４】読出し信号中にノイズが発生した対物レンズの光軸方向における位置の測定結果を示す説明図である。
【図５】（Ａ）〜（Ｄ）は、図４中における打点を説明するための説明図である。
【符号の説明】
【００６２】
ＤＫ…光ディスク、１０…回転駆動装置、１１…スピンドルモータ、２０…光ピックアップ装置、２１…レーザ光源、２５…対物レンズ、２７…４分割フォトディテクタ、２９…フォーカスアクチュエータ、３１…ＨＦ信号増幅回路、４１…フォーカスエラー信号生成回路、４２…フォーカスサーボ回路、４３…ドライブ回路、４４…フォーカス引込み信号発生回路、４５…ノイズ抽出回路、４６…包絡線回路、４７…包絡線レベル検出回路、５０…コンピュータ装置、６１…オシロスコープ、６２…ポテンショメータ、６３…セレクタ
【図１】
2005293763.tif 000003
【図２】
2005293763.tif 000004
【図３】
2005293763.tif 000005
【図４】
2005293763.tif 000006
【図５】
2005293763.tif 000007